(57)【要約】【課題】磁束漏れを増加させることなく、回転子コアの遠心力に対する強度を向上させる。【解決手段】永久磁石回転子（10）は、駆動軸（1）の周辺部に形成される磁石開口部（18）を横断するように設けられるブリッジ（20）が形成された磁性板（15,16）を駆動軸（1）の軸方向に複数枚重ねて形成される回転子コア（11）を備え、エアギャップを有して固定子と対向するように配置されるものである。複数の磁性板（15,16）のうち、積層方向に隣り合う２枚の磁性板（15,16）が、磁性板対（23）を形成する一方、磁性板対（23）は、２枚の磁性板（15,16）同士が互いに固定されると共に、それぞれのブリッジ（20）が重ならないように形成されている。【選択図】図１
2013046466.tif 000002
【特許請求の範囲】
【請求項１】
回転軸（1）の周辺部に形成される開口部（18,36）を横断するように設けられる薄肉部（20,38）が形成されたコアシート（15,16,34,35）を上記回転軸（1）の軸方向に複数枚重ねて形成される回転子コア（11,31）を備え、エアギャップを有して固定子と対向するように配置される回転子であって、
上記複数のコアシート（15,16,34,35）のうち、積層方向に隣り合う２枚のコアシート（15,16,34,35）が、コアシート対（23,41）を形成する一方、
上記コアシート対（23,41）は、２枚のコアシート（15,16,34,35）同士が互いに固定されると共に、それぞれの薄肉部（20,38）が重ならないように形成されている
ことを特徴とする回転子。
【請求項２】
請求項１において、
上記回転子コア（11,31）は、コアシート対（23,41）の一方のコアシート（15,34）が上記回転軸（1）の軸方向に複数枚重ねられると共に、互いが固定されて形成された第１の単位回転子コア（13,32）と、
上記コアシート対（23,41）の他方のコアシート（16,35）が上記回転軸（1）の軸方向に複数枚重ねられると共に、互いが固定されて形成された第２の単位回転子コア（14,33）とが上記回転軸（1）の軸方向に積層されて構成されている
ことを特徴とする回転子。
【請求項３】
請求項１又は２において、
上記コアシート対（23,41）は、一のコアシート（15,34）を２枚重ねにして互いに上記回転軸（1）の周方向にずらして配置することで構成されている
ことを特徴とする回転子。
【請求項４】
請求項３において、
上記コアシート対（41）は、一のコアシート（34）において複数の磁極ごとに開口部（36）が形成される一方、一の磁極における開口部（36）の薄肉部（38）と、他の一の磁極における開口部（36）の薄肉部（38）とが互いに異なる位置に形成されている
ことを特徴とする回転子。
【請求項５】
請求項１〜４の何れか１つにおいて、
上記回転子コア（11）は、積層させた上記コアシート（15,16）の開口部（18）が形成する孔部（22）と、該孔部（22）に配置される永久磁石（17）とを備えている
ことを特徴とする回転子。
【請求項６】
請求項１〜４の何れか１つにおいて、
上記回転子コア（31）は、積層させた上記コアシート（34,35）の複数の開口部（36）が形成する複数の孔部と、該複数の孔部のうちの少なくとも１つの孔部に配置される永久磁石とを備えている
ことを特徴とする回転子。
【発明の詳細な説明】
【技術分野】
【０００１】
本発明は、回転子に関し、特に、遠心力に対する強度の向上対策に係るものである。
【背景技術】
【０００２】
従来より、永久磁石が埋め込まれた電動機として、固定子（ステータ）と、該固定子の内側で回転自在に配設された回転子（ロータ）とにより構成されたものが知られている（特許文献１参照）。回転子は、永久磁石と、該永久磁石が埋め込まれる回転子コアとにより構成されている。
【０００３】
回転子コアは、図１１に示すように、同一形状の多数の磁性板（a）（電磁鋼板）を軸方向に積層して形成されている。各磁性板（a）には、プレス加工で打ち抜かれた開口（b）が同一箇所に形成され、これらの磁性板（a）を積層させることで上記開口（b）が積層し、永久磁石（c）の挿入される挿入孔が形成されている。また、各磁性板（a）には開口（b）を横断するようにブリッジ（d）が設けられている（図１１参照）。
【０００４】
ところで、電動機を駆動させると回転子が高速回転するため、回転子コアには遠心力が加わっている。一方、回転子コアでは、開口の長手方向における各ブリッジ（d）の形成部分以外では遠心力に対する強度が小さくなる。このため、回転子コアは、ブリッジ（d）の形成部分以外の部分が遠心力によって半径方向の外方に向かって変形してしまうという問題があった。
【０００５】
このような問題に対しては、例えばブリッジの数を増やしたり、その幅を広げることにより、遠心力に対する強度を向上させるという対策が考えられる。
【先行技術文献】
【特許文献】
【０００６】
【特許文献１】特開２００４−９６９７８号公報
【発明の概要】
【発明が解決しようとする課題】
【０００７】
しかしながら、上述したようにブリッジ（d）の数を増やしたり、その幅を広げると、回転子コアの強度は向上する一方、ブリッジ（d）を通じて磁束漏れが増大してしまう。つまり、磁束漏れの増加を生じさせることなく、回転子コアの遠心力に対する強度を向上させることができないという問題があった。
【０００８】
本発明は、斯かる点に鑑みてなされたものであり、磁束漏れを増加させることなく、回転子コアの遠心力に対する強度を向上させることを目的とする。
【課題を解決するための手段】
【０００９】
第１の発明は、回転軸（1）の周辺部に形成される開口部（18,36）を横断するように設けられる薄肉部（20,38）が形成されたコアシート（15,16,34,35）を上記回転軸（1）の軸方向に複数枚重ねて形成される回転子コア（11,31）を備え、エアギャップを有して固定子と対向するように配置される回転子であって、上記複数のコアシート（15,16,34,35）のうち、積層方向に隣り合う２枚のコアシート（15,16,34,35）が、コアシート対（23,41）を形成する一方、上記コアシート対（23,41）は、２枚のコアシート（15,16,34,35）同士が互いに固定されると共に、それぞれの薄肉部（20,38）が重ならないように形成されている。
【００１０】
上記第１の発明では、回転子コア（11,31）は、コアシート（15,16,34,35）を回転軸（1）の軸方向に複数枚重ねて形成されている。回転子は、固定子とエアギャップを有して対向するように配置されている。コアシート（15,16,34,35）は、回転軸（1）の周辺部に開口部（18,36）が形成され、この開口部（18,36）を横断するように薄肉部（20,38）が形成されている。複数のコアシート（15,16,34,35）は、それらのうちの積層方向に隣り合う２枚のコアシート（15,16,34,35）がコアシート対（23,41）を形成している。そして、コアシート対（23,41）は、２枚のコアシート（15,16,34,35）が互いに固定され、且つそれぞれの薄肉部（20,38）が重ならないように形成されている。
【００１１】
各コアシート（15,16,34,35）では、薄肉部（20,38）が形成された部分は遠心力に対する強度が大きい一方、薄肉部（20,38）が形成されていない部分は遠心力によって半径方向外方に変形し易くなる。つまり、２枚のコアシート（15,16,34,35）では、それぞれ遠心力による変形方向が異なっている。
【００１２】
また、２枚のコアシート（15,16,34,35）は、互いに固定されている。このため、一方のコアシート（15,34）の遠心力による変形が他方のコアシート（16,35）によって制限されることになる。つまり、遠心力による変形方向が互いに異なる２枚のコアシート（15,16,34,35）を固定したため、コアシート対（23,41）としての遠心力に起因する変形を抑えられる。
【００１３】
第２の発明は、上記第１の発明において、上記回転子コア（11,31）は、上記コアシート対（23,41）の一方のコアシート（15,34）が上記回転軸（1）の軸方向に複数枚重ねられると共に、互いに固定されて形成された第１の単位回転子コア（13,32）と、上記コアシート対（23,41）の他方のコアシート（16,35）が上記回転軸（1）の軸方向に複数枚重ねられると共に、互いに固定されて形成された第２の単位回転子コア（14,33）とが上記回転軸（1）の軸方向に積層されて構成されている。
【００１４】
上記第２の発明では、第１の単位回転子コア（13,32）と第２の単位回転子コア（14,33）とが回転軸（1）の軸方向に積層され、互いに固定されて構成されている。第１の単位回転子コア（13,32）は、コアシート対（23,41）を構成する一方のコアシート（15,34）が回転軸（1）の軸方向に複数枚積層され、各コアシート（15,34）は互いに固定されて構成されている。第２の単位回転子コア（14,33）は、コアシート対（23,41）を構成する他方のコアシート（16,35）が回転軸（1）の軸方向に複数枚積層され、各コアシート（16,35）は互いに固定されて構成されている。
【００１５】
さらに、両単位回転子コア（13,14,32,33）の接触部分を構成する２枚のコアシート（15,16,34,35）は、コアシート対（23,41）を構成し、この２枚のコアシート（15,16,34,35）が互いに固定されることで２つの単位回転子コア（13,14,32,33）は互いに固定されている。また、第１の単位回転子コア（13,32）と第２の単位回転子コア（14,33）は、それぞれの薄肉部（20,38）が積層方向において重ならないように形成されている。
【００１６】
このため、第１の単位回転子コア（13,32）の遠心力による変形が第２の単位回転子コア（14,33）によって制限されることになる一方、第２の単位回転子コア（14,33）の遠心力による変形が第１の単位回転子コア（13,32）によって制限されることになる。つまり、遠心力による変形方向が異なる２つの単位回転子コア（13,14,32,33）を互いに固定したため、回転子コア（11,31）としての遠心力に起因する変形を抑えられる。
【００１７】
第３の発明は、上記第１又は第２の発明において、上記コアシート対（23,41）は、一のコアシート（15,34）を２枚重ねにして互いに上記回転軸（1）の周方向にずらして配置することで構成されている。
【００１８】
上記第３の発明では、一のコアシート（15,34）を２枚重ね、互いを回転軸（1）の周方向にてずらすことでコアシート対（23,41）を形成している。こうすることで、１種類のコアシート（15,34）によってコアシート対（23,41）を形成することができる。
【００１９】
第４の発明は、上記第３の発明において、上記コアシート対（41）は、一のコアシート（34）において複数の磁極ごとに開口部（36）が形成される一方、一の磁極における開口部（36）の薄肉部（38）と、他の一の磁極における開口部（36）の薄肉部（38）とが互いに異なる位置に形成されている。
【００２０】
上記第４の発明では、一のコアシート（34）の複数の磁極毎に開口部（36）が形成されている。また、このコアシート（34）では、一の磁極における開口部（36）の薄肉部（38）と他の一の磁極における開口部（36）の薄肉部（38）とが互いに異なる位置に形成されている。こうすることで、一のコアシート（34）を２枚重ねて互いに回転軸（1）の周方向にずらして配置すると、１種類のコアシート（34）によってコアシート対（41）を形成することができる。
【００２１】
第５の発明は、上記第１〜第４の発明の何れか１つにおいて、上記回転子コア（11）は、積層させた上記コアシート（15,16）の開口部（18）が形成する孔部（22）と、該孔部（22）に配置される永久磁石（17）とを備えている。
【００２２】
上記第５の発明では、積層させたコアシート（15,16）の開口部（18）によって孔部（22）が形成され、この孔部（22）に永久磁石（17）が配置されている。
【００２３】
第６の発明は、上記第１〜第４の発明の何れか１つにおいて、上記回転子コア（31）は、積層させた上記コアシート（34,35）の複数の開口部（36）が形成する複数の孔部と、該複数の孔部のうちの少なくとも１つの孔部に配置される永久磁石とを備えている。
【００２４】
上記第６の発明では、積層させたコアシート（34,35）の複数の開口部（36）によって複数の孔部が形成され、この複数の孔部の少なくとも１つの孔部に永久磁石が配置されている。
【発明の効果】
【００２５】
上記第１の発明によれば、２枚のコアシート（15,16,34,35）同士を互いに固定して薄肉部（20,38）が重ならないようにしたため、遠心力による変形方向を互いに異ならせることができる。これにより、一方のコアシート（15,34）の遠心力による変形を他方のコアシート（16,35）によって抑えることができる。この結果、薄肉部（20,38）の数を増やしたり、その幅を広げることなく、回転子コア（11,31）の遠心力に対する強度を向上させることができる。
【００２６】
上記第２の発明によれば、２つの単位回転子コア（13,14,32,33）同士を互いに固定して薄肉部（20,38）が積層方向において重ならないようにしたため、遠心力による変形方向を互いに異ならせることができる。これにより、第１の単位回転子コア（13,32）の遠心力による変形を第２の単位回転子コア（14,33）によって抑えることができる一方、第２の単位回転子コア（14,33）の遠心力による変形を第１の単位回転子コア（13,32）によって抑えることができる。この結果、薄肉部（20,38）の数を増やしたり、その幅を広げたりすることなく、回転子コア（11,31）の遠心力に対する強度を向上させることができる。
【００２７】
上記第３の発明によれば、一のコアシート（15,34）を周方向にずらし、２枚重ねにしてコアシート対（23,41）を形成したため、一種類のコアシート（15,34）でコアシート対（23,41）を形成することができる。
【００２８】
上記第４の発明によれば、一のコアシート（34）における磁極毎の薄肉部（20）を磁極毎に異なる位置に形成したため、一のコアシート（34）を２枚、回転軸（1）の周方向に互いにずらしてコアシート対（41）を形成した際、２枚のコアシート（34,34）の薄肉部（38,38）が重なるのを防止することができる。
【００２９】
上記第５の発明によれば、開口部（18）が形成されたコアシート（15,16）を複数枚積層させて形成される孔部（22）に永久磁石（17）を配置したため、ＩＰＭ型モータ用の回転子を構成することができる。
【００３０】
上記第６の発明によれば、複数の開口部（36）が形成されたコアシート（34,35）を複数枚積層させて形成される複数の孔部の少なくとも１つに永久磁石を配置するようにしたため、磁石補助型のリラクタンスモータ用の回転子に構成することができる。
【図面の簡単な説明】
【００３１】
【図１】実施形態１に係る回転子の構成を示す模式図である。
【図２】図１のＩＩ−ＩＩ断面図である。
【図３】図１のＩＩＩ−ＩＩＩ断面図である。
【図４】実施形態１の変形例に係る回転子の構成を示す模式図である。
【図５】実施形態１の変形例に係る回転子コアの構成を示す図である。
【図６】実施形態２に係る回転子の構成を示す模式図である。
【図７】図６のＶＩＩ−ＶＩＩ断面図である。
【図８】図６のＶＩＩＩ−ＶＩＩＩ断面図である。
【図９】実施形態２の変形例に係る回転子の構成を示す模式図である。
【図１０】実施形態２の変形例に係る回転子コアの構成を示す図である。
【図１１】従来例に係る回転子コアを示す概略図である。
【発明を実施するための形態】
【００３２】
以下、本発明の実施形態を図面に基づいて詳細に説明する。
【００３３】
〈発明の実施形態１〉
図１に示すように、本実施形態１に係るモータは、ＩＰＭ型のモータに構成されている。永久磁石回転子（10）は、固定子と共にモータを構成するものである。このモータは、例えば空気調和装置の圧縮機内に配置され、圧縮機構を駆動するのに用いられる。圧縮機は、例えば密閉されたケーシングを有し、ケーシング内を高温且つ高圧の冷媒が流れるものである。
【００３４】
上記永久磁石回転子（10）は、図１〜３に示すように円筒状の回転子コア（11）を備えている。尚、図示はしないが、回転子コア（11）の軸方向の両端部には端板が配置されている。回転子コア（11）と端板は、図示はしないが、両者を軸方向に貫通する締結リベットあるいはかしめにより一体化されている。回転子コア（11）の中心部には、その軸方向に貫通する軸挿通孔（12）が形成され、軸挿通孔（12）には圧縮機構の駆動軸（1）が圧入されて回転一体に固定されている。上記駆動軸（1）は本発明に係る回転軸を構成している。尚、図１における上下方向が駆動軸（1）の軸方向を示している。
【００３５】
上記回転子コア（11）は、４つの単位回転子コア（13,14,13,14）を駆動軸（1）の軸方向に積層させて構成されている。回転子コア（11）は、２つの第１の単位回転子コア（13,13）と、２つの第２の単位回転子コア（14,14）とで構成されている。回転子コア（11）は、駆動軸（1）の軸方向の上から下に向かって第１の単位回転子コア（13）、第２の単位回転子コア（14）、第１の単位回転子コア（13）および第２の単位回転子コア（14）の順に積層されている。第１の単位回転子コア（13）と第２の単位回転子コア（14）とは、その接触部分において後述する互いのかしめ部（19）によって固定されている。
【００３６】
上記第１の単位回転子コア（13）は、図２に示すように、円形状の電磁鋼板に形成される第１磁性板（15）を複数枚積層させ、積層させた磁石開口部（18）に永久磁石（17）を配置することで形成されている。上記第１磁性板（15）には、磁石開口部（18）とかしめ部（19）とブリッジ（20）とが形成されている。尚、第１磁性板（15）は、本発明に係るコアシートを構成している。
【００３７】
上記磁石開口部（18）は、軸挿通孔（12）の周りに形成される断面長方形状の開口であって、本発明に係る開口部を構成している。各磁石開口部（18）には、長手方向の両端部には、該両端部から平面視で斜め外方に延びる２つの切欠部（21,21）が形成されている。尚、第１磁性板（15）を積層させることで、積層された磁石開口部（18）が永久磁石（17）を配置する磁石孔（22）を形成している。この磁石孔（22）は、本発明に係る孔部を構成している。
【００３８】
上記かしめ部（19）は、２枚の磁性板を重ね合わせるためのものである。かしめ部（19）は、略Ｖ字状の凹みによって形成されている。かしめ部（19）は、駆動軸（1）の軸中心から９０度ごとに合計４つが形成されている。このかしめ部（19）によって積層された複数の第１磁性板（15）が互いに固定される。
【００３９】
上記ブリッジ（20）は、磁石開口部（18）に設けられて第１磁性板（15）の強度を上げるものであって、本発明に係る薄肉部を構成している。第１磁性板（15）では、ブリッジ（20）は１０個形成されている。ブリッジ（20）は、磁石開口部（18）を横断するように形成されている。第１磁性板（15）では、軸挿通孔（12）を挟んで互いに平行に延びる２つの磁石開口部（18,18）のブリッジ（20）は積層方向において重なる位置に形成される一方、互いが直交方向に延びる磁石開口部（18）のブリッジ（20）は、その形成位置が異なっている。
【００４０】
具体的には、図２における上下の磁石開口部（18,18）では、ブリッジ（20,20）が磁石開口部（18）の長手方向の両端と切欠部（21,21）の内周端とが繋がる部分の２箇所に形成されている。図２における左右の磁石開口部（18,18）では、ブリッジ（20）が磁石開口部（18）の長手方向の中央部分の１箇所と、切欠部（21,21）の外周端の２箇所に形成されている。この第１磁性板（15）を駆動軸（1）の軸方向に積層させることで磁石孔（22）が形成される。この磁石孔（22）に永久磁石（17）が配置されて第１の単位回転子コア（13）となる。尚、その長手方向の中央部分にブリッジ（20）が形成される磁石開口部（18）で構成される磁石孔（22）には、永久磁石（17）が長手方向に二分割されて挿入される。
【００４１】
上記第２の単位回転子コア（14）は、図３に示すように、円形状の電磁鋼板に形成される第２磁性板（16）を複数枚積層させ、積層させた磁石開口部（18）に永久磁石（17）を配置することで形成されている。上記第２磁性板（16）は、磁石開口部（18）とかしめ部（19）とブリッジ（20）とが形成されている。尚、第２磁性板（16）は、本発明に係るコアシートを構成している。
【００４２】
上記磁石開口部（18）は、軸挿通孔（12）の周りに形成される断面長方形状の開口であって、本発明に係る開口部を構成している。各磁石開口部（18）の長手方向の両端部には、該両端部から平面視で斜め外方に延びる２つの切欠部（21,21）が形成されている。尚、第２磁性板（16）を積層させることで、積層された磁石開口部（18）が永久磁石（17）を配置する磁石孔（22）を形成している。この磁石孔（22）は、本発明に係る孔部を構成している。
【００４３】
上記かしめ部（19）は、２枚の磁性板を重ね合わせるためのものである。かしめ部（19）は、略Ｖ字状の凹みによって形成されている。かしめ部（19）は、駆動軸（1）の軸中心から９０度ごとに合計４つが形成されている。このかしめ部（19）によって積層された複数の第２磁性板（16）が互いに固定される。
【００４４】
上記ブリッジ（20）は、磁石開口部（18）に設けられて第２磁性板（16）の強度を上げるものであって、本発明に係る薄肉部を構成している。第２磁性板（16）では、ブリッジ（20）は１０個のブリッジ（20）形成されている。ブリッジ（20）は、磁石開口部（18）を横断するように形成されている。第２磁性板（16）では、軸挿通孔（12）を挟んで互いに平行に延びる２つの磁石開口部（18,18）のブリッジ（20）は同位置に形成される一方、互いが直交方向に延びる磁石開口部（18）のブリッジ（20）は、その形成位置が異なっている。
【００４５】
具体的には、図３における左右の磁石開口部（18,18）では、ブリッジ（20）が磁石開口部（18）の長手方向の両端と切欠部（21,21）の内周端とが繋がる部分の２箇所に形成されている。また、図３における上下の磁石開口部（18,18）では、ブリッジ（20）が磁石開口部（18）の長手方向の中央部分の１箇所と、切欠部（21,21）の外周端の２箇所に形成されている。この第２磁性板（16）を駆動軸（1）の軸方向に積層させることで磁石孔（22）が形成される。この磁石孔（22）に永久磁石（17）が配置されて第２の単位回転子コア（14）となる。尚、その長手方向の中央部分にブリッジ（20）が形成される磁石開口部（18）で構成される磁石孔（22）には、永久磁石（17）が長手方向に二分割されて挿入される。
【００４６】
上述したように、第１の単位回転子コア（13）と第２の単位回転子コア（14）とは、積層されて互いのかしめ部（19,19）によって固定されている。つまり、第１の単位回転子コア（13）と第２の単位回転子コア（14）との間で隣り合う第１磁性板（15）と第２磁性板（16）とは、磁性板対（23）を構成している。尚、この磁性板対（23）は、本発明に係るコアシート対を構成している。
【００４７】
−変形モード−
次に、永久磁石回転子（10）の回転動作について説明する。永久磁石回転子（10）が回転すると、回転子コア（11）には遠心力が生じる。この遠心力は、回転子コア（11）の外周側へ向かうほど大きくなる。
【００４８】
まず、第１の単位回転子コア（13）は、第１磁性板（15）の図２における上下２つの磁石開口部（18,18）のそれぞれの長手方向の両端にブリッジ（20,20）が形成されている。つまり、これらの磁石開口部（18,18）の長手方向の中央付近にはブリッジ（20）が設けられていない。このため、中央部分の遠心力に対する強度が弱くなる。ここに遠心力が加わると、第１磁性板（15）における上下の磁石開口部（18,18）の長手方向の中央の近傍部分が半径方向外方に向かって延びる（図２の白矢印参照）。
【００４９】
一方、第１磁性板（15）の図２における左右２つの磁石開口部（18,18）は、それぞれの長手方向の中央位置にブリッジ（20）が形成されている。つまり、これらの磁石開口部（18,18）の長手方向の両端にはブリッジ（20）が設けられていない。このため、磁石開口部（18,18）の長手方向の両端の遠心力に対する強度が弱くなる。ここに遠心力が加わると、第１磁性板（15）における左右の磁石開口部（18,18）の長手方向の両端の近傍部分が半径方向外方に向かって延びる（図２の黒矢印参照）。
【００５０】
次に、第２の単位回転子コア（14）は、第２磁性板（16）の図３における上下２つの磁石開口部（18,18）のそれぞれの長手方向の中央位置にブリッジ（20）が形成されている。つまり、これらの磁石開口部（18,18）の長手方向の両端にはブリッジ（20）が設けられていない。このため、磁石開口部（18,18）の長手方向の両端の遠心力に対する強度が弱くなる。ここに遠心力が加わると、第２磁性板（16）における上下の磁石開口部（18,18）の長手方向の両端の近傍部分が半径方向外方に向かって延びる（図２の黒矢印参照）。
【００５１】
一方、第２磁性板（16）の図３における左右２つの磁石開口部（18,18）は、それぞれの長手方向の両端にブリッジ（20,20）が形成されている。つまり、これらの磁石開口部（18,18）の長手方向の中央付近にはブリッジ（20）が設けられていない。このため、中央付近の遠心力に対する強度が弱くなる。ここに遠心力が加わると、第２磁性板（16）における左右の磁石開口部（18,18）の長手方向の中央の近傍部分が半径方向外方に向かって延びる（図３の白矢印参照）。
【００５２】
このように、第１の単位回転子コア（13）と第２の単位回転子コア（14）とは、積層方向においてブリッジ（20）の形成位置が異なっているため、遠心力によって延びる部分がそれぞれ異なる。一方、２つの単位回転子コア（13,14）は、互いのかしめ部（19）によって固定されている。このため、両単位回転子コア（13,14）は遠心力が加わっても変形し難くなる。
【００５３】
−回転子コアの製造方法−
次に、本実施形態１に係る回転子コア（11）の製造方法について説明する。回転子コア（11）の製造では、第１の単位回転子コア（13）は、第１磁性板（15）を積層させて形成している。第２の単位回転子コア（14）は、第１磁性板（15）を９０度回転させて第２磁性板（16）とし、この第２磁性板（16）を積層させて形成している。尚、第１磁性板（15）と第２磁性板（16）とを別々に形成し、第１磁性板（15）を積層させて第１の単位回転子コア（13）を形成し、第２磁性板（16）を積層させて第２の単位回転子コア（14）を形成するようにしてもよい。
【００５４】
−実施形態１の効果−
上記実施形態１によれば、第１および第２磁性板（15,16）を互いに固定してブリッジ（20）が重ならないようにしたため、遠心力による変形方向を互いに異ならせることができる。このため、第１磁性板（15）の遠心力による変形を第２磁性板（16）によって抑えることができる一方、第２磁性板（16）の遠心力による変形を第１磁性板（15）によって抑えることができる。これにより、ブリッジ（20）の数を増やしたり、その幅を広げたりすることなく（すなわち、磁束漏れを増加させることなく）、回転子コア（11）の遠心力に対する強度を向上させることができる。また、各磁性板（15,16）に凹凸加工したり、回転子コア（11）をモールドしたりすることなく、簡易的に回転子コア（11）の遠心力に対する強度を向上させることができる。
【００５５】
また、第１および第２の単位回転子コア（13,14）同士を互いに固定してブリッジ（20）が積層方向において重ならないようにしたため、遠心力による変形方向を互いに異ならせることができる。これにより、第１の単位回転子コア（13）の遠心力による変形を第２の単位回転子コア（14）によって抑えることができる一方、第２の単位回転子コア（14）の遠心力による変形を第１の単位回転子コア（13）によって抑えることができる。この結果、ブリッジ（20）の数を増やしたり、その幅を広げたり（すなわち、磁束漏れを増加させることなく）回転子コア（11）の遠心力に対する強度を向上させることができる。
【００５６】
また、磁石開口部（18）が形成された第１および第２磁性板（15,16）を複数枚積層させて形成される磁石孔（22）に永久磁石（17）を配置したため、ＩＰＭ型モータ用の回転子を構成することができる。
【００５７】
−実施形態１の変形例−
次に、本実施形態１の変形例について説明する。図４および図５に示すように、本変形例に係る永久磁石回転子（10）は、上記実施形態１のものとは、回転子コア（11）の構成が異なっている。尚、変形例では、上記実施形態１と異なる部分のみ説明する。
【００５８】
上記本変形例に係る回転子コア（11）は、上記第１磁性板（15）と第２磁性板（16）とが一対の磁性板対（23）を構成し、それらを積層させて構成されている。つまり、回転子コア（11）は、第１磁性板（15）と第２磁性板（16）とを交互に重ねて積層させて形成されている。そして、２つの磁性板（15,16）は、互いのかしめ部（19,19）によって固定されている。つまり、本変形例に係る回転子コア（11）は、上記実施形態１に係る回転子コア（11）のように第１および第２の単位回転子コア（13,14）が形成されていないものである。尚、上記磁性板対（23）は本発明に係るコアシート対を構成している。
【００５９】
本変形例に係る回転子コア（11）は、第１磁性板（15）と、第１磁性板（15）を９０度回転させてなる第２磁性板（16）とを交互に重ねて積層して形成されている。尚、第１磁性板（15）と第２磁性板（16）とを別々に形成し、それらを交互に積層させて回転子コア（11）を形成するようにしてもよい。
【００６０】
上記本変形例によれば、第１および第２磁性板（15,16）を互いに固定してブリッジ（20,20）が重ならないようにしたため、遠心力による変形方向を互いに異ならせることができる。このため、第１磁性板（15）の遠心力による変形を第２磁性板（16）によって抑えることができる一方、第２磁性板（16）の遠心力による変形を第１磁性板（15）によって抑えることができる。これにより、ブリッジ（20）の数を増やしたり、その幅を広げることなく（すなわち、磁束漏れを増加させることなく）回転子コア（11）の遠心力に対する強度を向上させることができる。
【００６１】
また、重ねた第１および第２磁性板（15,16）のうち、第１磁性板（15）を周方向に９０度回転させて磁性板対（23）を形成したため、一種類の磁性板（15）で磁性板対（23）を形成することができる。その他の構成、作用・効果は実施形態１と同様である。
【００６２】
〈発明の実施形態２〉
次に、本発明に係る実施形態２について説明する。図６に示すように、本実施形態２に係るモータは、シンクロナスリラクタンスモータに構成されている。このモータは、駆動軸（1）に固定された回転子（30）と、回転子（30）の周囲にエアギャップを有して配置される固定子（図示なし）とを備えている。
【００６３】
上記固定子は、図示はしないが、電磁鋼板を積層して形成される円筒状の固定子コアと、この固定子コアに巻装された３相の固定子コイルとを備えている。３相固定子コイルに正弦波の電流を流すことで回転磁界が形成される。
【００６４】
上記回転子（30）は、回転子コア（31）を備えている。回転子コア（31）の中心部には、その軸方向に貫通する軸挿通孔（40）が形成され、軸挿通孔（40）には圧縮機構の駆動軸（1）が圧入されて回転一体に固定されている。圧縮機構の駆動軸（1）は本発明に係る回転軸を構成している。尚、図６における上下方向が駆動軸（1）の軸方向を示している。
【００６５】
上記回転子コア（31）は、４つの単位回転子コア（32,33,32,33）を駆動軸（1）の軸方向に積層させて構成されている。回転子コア（31）は、２つの第１の単位回転子コア（32,32）と、２つの第２の単位回転子コア（33,33）とで構成されている。回転子コア（31）は、駆動軸（1）の軸方向の上から下に向かって第１の単位回転子コア（32）、第２の単位回転子コア（33）、第１の単位回転子コア（32）および第２の単位回転子コア（33）の順に積層されている。第１の単位回転子コア（32）と第２の単位回転子コア（33）とは、互いのかしめ部（37）によって固定されている。
【００６６】
上記第１の単位回転子コア（32）は、図７に示すように、円形状の電磁鋼板に形成される第１磁性板（34）を複数枚積層させて形成されている。上記第１磁性板（34）には、フラックスバリア（36）とかしめ部（37）とブリッジ（38）とが形成されている。また、第１磁性板（34）には、４極の磁極が形成され、フラックスバリア（36）の周方向の中心と駆動軸（1）の軸中心とを結ぶ方向のｄ軸と、ｄ軸に対して電気角で９０度回転させた方向のｑ軸とが交互に形成されている。この第１磁性板（34）では、４つのフラックスバリア（36,36,36,36）以外の部分が磁束の通過する磁路に形成されている。つまり、隣り合う２つのフラックスバリア（36,36）の間は磁束が通過する磁路が形成されている。尚、上記第１磁性板（34）は、本発明に係るコアシートを構成している。
【００６７】
上記フラックスバリア（36,36,36）は、ｄ軸方向の磁束の流れを阻止する円弧状の溝であって、本発明に係る開口部を構成している。フラックスバリア（36）は、軸挿通孔（40）の周辺に磁極ごとに４つずつ半径方向に並んで設けられている。フラックスバリア（36）は、その一端から他端が隣り合うｑ軸領域に亘って延びている。こうすることで、ｄ軸のインダクタンスＬｄが小さくなり、ｑ軸のインダクタンスＬｑが大きくなる。このｑ軸は磁気突極を有している。
【００６８】
上記かしめ部（37）は、２枚の磁性板を重ね合わせるためものである。かしめ部（37）は、略Ｖ字状の凹みによって形成されている。かしめ部（37）は、各フラックスバリア（36）の近傍に形成されている。かしめ部（37）はｄ軸中心に沿って、各磁極ごとに計４つずつ形成されている。このかしめ部（37）によって積層させた第１磁性板（34）が互いに固定される。
【００６９】
上記ブリッジ（38）は、フラックスバリア（36）に設けられて第１磁性板（34）の強度を上げるものである。また、第１磁性板（34）には３２個のブリッジ（38）が形成されている。ブリッジ（38）は、フラックスバリア（36）を横断するように形成されている。第１磁性板（34）では、軸挿通孔（40）を挟んで互いに対向する磁極において、ブリッジ（38）が円弧方向において同位置に形成されている。一方、それ以外の磁極におけるブリッジ（38）は、その形成位置が円弧方向において異なっている。
【００７０】
具体的には、図７における左上および右下の各磁極では、２つのブリッジ（38,38）が各フラックスバリア（36）の円弧の両端に形成されている。図７における右上および左下の各磁極では、２つのブリッジ（38,38）が各フラックスバリア（36）における軸挿通孔（40）から延びるｄ軸の近傍に形成されている。
【００７１】
上記第２の単位回転子コア（33）は、図８に示すように、円形状の電磁鋼板に形成される第２磁性板（35）を複数枚積層させて形成されている。上記第２磁性板（35）には、フラックスバリア（36）とかしめ部（37）とブリッジ（38）とが形成されている。また、第２磁性板（35）には、４極の磁極が形成され、フラックスバリア（36）の周方向の中心と駆動軸（1）の軸中心とを結ぶ方向のｄ軸と、ｄ軸に対して電気角で９０度回転させた方向のｑ軸とが交互に形成されている。第２磁性板（35）では、４つのフラックスバリア（36,36,36,36）以外の部分が磁束の通過する磁路に形成されている。つまり、隣り合う２つのフラックスバリア（36,36）の間は磁束が通過する磁路が形成されている。尚、上記第２磁性板（35）は、本発明に係るコアシートを構成している。
【００７２】
上記フラックスバリア（36,36,36）は、ｄ軸方向の磁束の流れを阻止する円弧状の溝であって、本発明に係る開口部を構成している。フラックスバリア（36）は、軸挿通孔（40）の周辺に磁極ごとに４つのずつ半径方向に並んで設けられている。フラックスバリア（36）は、その一端から他端が隣り合うｑ軸領域に亘って延びている。こうすることで、ｄ軸のインダクタンスＬｄが小さくなり、ｑ軸のインダクタンスＬｑが大きくなる。このｑ軸は磁気突極を有している。
【００７３】
上記かしめ部（37）は、２枚の磁性板を重ね合わせるためのものである。かしめ部（37）は、略Ｖ字状の凹みによって形成されている。かしめ部（37）は、各フラックスバリア（36）の近傍に形成されている。かしめ部（37）はｄ軸中心に沿って、各磁極ごとに計４つずつ形成されている。このかしめ部（37）によって積層させた第２磁性板（35）が互いに固定される。
【００７４】
上記ブリッジ（38）は、フラックスバリア（36）に設けられて第２磁性板（35）の強度を上げるものである。また、第２磁性板（35）には３２個のブリッジ（38）が形成されている。ブリッジ（38）は、フラックスバリア（36）を横断するように形成されている。第２磁性板（35）では、軸挿通孔（40）を挟んで互いに対向する磁極において、ブリッジ（38）が円弧方向において同位置に形成されている。一方、それ以外の磁極におけるブリッジ（38）は、その形成位置が円弧方向において異なっている。
【００７５】
具体的には、図８における右上および左下の各磁極では、２つのブリッジ（38,38）が各フラックスバリア（36）の円弧の両端に形成されている。図８における左上および右下の各磁極では、２つのブリッジ（38,38）が各フラックスバリア（36）における軸挿通孔（40）から延びるｄ軸の近傍に形成されている。
【００７６】
上述したように、第１の単位回転子コア（32）と第２の単位回転子コア（33）とは、積層されて互いのかしめ部（37,37）によって固定されている。つまり、第１の単位回転子コア（32）と第２の単位回転子コア（33）との間で隣り合う第１磁性板（34）と第２磁性板（35）とは、磁性板対（41）を構成している。尚、この磁性板対（41）は、本発明に係るコアシート対を構成している。
【００７７】
−変形モード−
次に、回転子（30）の回転動作について説明する。回転子（30）が回転すると、回転子コア（31）には遠心力が生じる。この遠心力は、回転子コア（31）の外周側へ向かうほど大きくなる。
【００７８】
まず、第１の単位回転子コア（32）は、第１磁性板（34）の図７における左上および右下の２つの磁極の各フラックスバリア（36）の円弧の両端にブリッジ（38,38）が形成されている。つまり、これらのフラックスバリア（36）の円弧中央付近にはブリッジ（38）が設けられていない。このため、フラックスバリア（36）の円弧中央部分の遠心力に対する強度が弱くなる。ここに遠心力が加わると、第１磁性板（34）におけるフラックスバリア（36）の円弧の中央付近の外周部が半径方向外方に向かって延びる（図７の白矢印参照）。
【００７９】
一方、第１の単位回転子コア（32）は、第１磁性板（34）の図７における右上および左下の２つの磁極の各フラックスバリア（36）の円弧の中央付近に、ｄ軸を挟んでブリッジ（38,38）が２つ形成されている。これらのフラックスバリア（36）の円弧の両端にはブリッジ（38）が設けられていない。このため、フラックスバリア（36）の円弧両端の近傍の遠心力に対する強度が弱くなる。ここに遠心力が加わると、第１磁性板（34）のフラックスバリア（36）の円弧方向の両端の近傍部分が半径方向外方に向かって延びる（図７の黒矢印参照）。
【００８０】
次に、第２の単位回転子コア（33）は、第２磁性板（35）の図８における右上および左下の２つの磁極の各フラックスバリア（36）の円弧の両端にブリッジ（38,38）が形成されている。つまり、これらのフラックスバリア（36）の円弧中央付近にはブリッジ（38）が設けられていない。このため、フラックスバリア（36）の円弧中央部分に対応する第２磁性板（35）の遠心力に対する強度が弱くなる。ここに遠心力が加わると、第２磁性板（35）におけるフラックスバリア（36）の円弧の中央付近の近傍部分が半径方向外方に向かって延びる（図８の白矢印参照）。
【００８１】
一方、第２の単位回転子コア（33）は、第２磁性板（35）の図８における左上および右下の２つの磁極の各フラックスバリア（36）の円弧の中央付近に、ｄ軸を挟んでブリッジ（38,38）が２つ形成されている。これらのフラックスバリア（36）の円弧の両端にはブリッジ（38）が設けられていない。このため、フラックスバリア（36）の円弧両端の近傍の遠心力に対する強度が弱くなる。ここに遠心力が加わると、第２磁性板（35）のフラックスバリア（36）の円弧方向の両端の近傍部分が半径方向外方に向かって延びる（図８の黒矢印参照）。
【００８２】
このように、第１の単位回転子コア（32）と第２の単位回転子コア（33）とは、積層方向においてブリッジ（38）の形成位置が異なっているため、遠心力によって延びる部分がそれぞれ異なる。一方、２つの単位回転子コア（32,33）は、かしめ部（37）によって互いに固定されている。このため、両単位回転子コア（32,33）は遠心力が加わっても変形し難くなる。
【００８３】
−回転子コアの製造方法−
次に、本実施形態２に係る回転子コア（31）の製造方法について説明する。回転子コア（31）の製造では、第１の単位回転子コア（32）は、第１磁性板（34）を積層させて形成している。そして、第２の単位回転子コア（33）は、第１磁性板（34）を９０度回転させて第２磁性板（35）とし、この第２磁性板（35）を積層させて形成している。尚、第１磁性板（34）と第２磁性板（35）とを別々に形成し、第１磁性板（34）を積層させて第１の単位回転子コア（32）を形成し、第２磁性板（35）を積層させて第２の単位回転子コア（33）を形成するようにしてもよい。
【００８４】
−実施形態２の効果−
上記本実施形態２によれば、第１磁性板（34）にける磁極毎のブリッジ（38）を磁極毎に異なる位置に形成したため、第１磁性板（34）を２枚、駆動軸（1）の周方向に９０度互いにずらして磁性板対（41）を形成した際、２枚の磁性板（34,35）のブリッジ（38）が重なるのを防止することができる。その他の構成、作用・効果は実施形態１と同様である。
【００８５】
−実施形態２の変形例−
次に、本実施形態２の変形例について説明する。図９および図１０に示すように、本変形例に係る回転子（30）は、上記実施形態２のものとは、回転子コア（31）の構成が異なっている。尚、変形例では、上記実施形態２と異なる部分のみ説明する。
【００８６】
上記本変形例に係る回転子コア（31）は、上記第１磁性板（34）と第２磁性板（35）とが一対の磁性板対を構成し、それらを積層させて構成されている。つまり、回転子コア（31）は、第１磁性板（34）と第２磁性板（35）とを交互に重ねて積層させて形成されている。そして、２つの磁性板（34,35）は、互いのかしめ部（37,37）によって固定されている。つまり、本変形例に係る回転子コア（31）は、上記実施形態２に係る回転子コア（31）のように第１および第２の単位回転子コア（32,33）が形成されていないものである。尚、第１磁性板（34）と第２磁性板（35）とが、本発明に係るコアシート対を構成している。
【００８７】
本変形例に係る回転子コア（31）は、第１磁性板（34）と、第１磁性板（34）を９０度回転させてなる第２磁性板（35）とを交互に重ねて積層して形成されている。尚、第１磁性板（34）と第２磁性板（35）とを別々に形成し、それらを交互に積層させて回転子コア（31）を形成するようにしてもよい。その他の構成、作用・効果は実施形態２と同様である。
【００８８】
〈その他の実施形態〉
本発明は、上記実施形態１又は２について、以下のような構成としてもよい。
【００８９】
上記本実施形態１又は２では、積層方向に隣り合う２枚の磁性板同士をかしめ部（19,37）によって固定するようにしたが、本発明はこれに限られず、かしめ部の他に溶接、接着又はワニスによって固定するようにしてもよい。
【００９０】
また、上記実施形態１又は２では、かしめ部（19,37）の形状を略Ｖ字状の窪みとしたが、本発明はこれに限られず、さまざまなかしめ形状によって構成するようにしてもよい。
【００９１】
上記実施形態２では、永久磁石を設けないリラクタンスモータの回転子に本発明を適用したが、本発明はこれに限られず、一部のフラックスバリアの代わりに磁石溝を形成し、そこに永久磁石を埋設させる、いわゆる磁石補助型のリラクタンスモータの回転子に適用するようにしてもよい。
【００９２】
本形態では、複数のフラックスバリア（36）が形成された磁性板（34,35）を複数枚積層させて形成される複数の孔部の少なくとも１つに永久磁石を配置するようにしたため、リラクタンスモータ用の回転子に構成することができる。
【００９３】
尚、以上の実施形態は、本質的に好ましい例示であって、本発明、その適用物、あるいはその用途の範囲を制限することを意図するものではない。
【産業上の利用可能性】
【００９４】
以上説明したように、本発明は、モータの回転子について有用である。
【符号の説明】
【００９５】
１            駆動軸
１１          回転子コア
１３          第１の単位回転子コア（実施形態１）
１４          第２の単位回転子コア（実施形態１）
１５          第１磁性板（実施形態１）
１６          第２磁性板（実施形態１）
１７          永久磁石（実施形態１）
１８          磁石開口部（実施形態１）
２０          ブリッジ（実施形態１）
２２          磁石孔（実施形態１）
２３          磁性板対（実施形態１）
３１          回転子コア（実施形態２）
３２          第１の単位回転子コア（実施形態２）
３３          第２の単位回転子コア（実施形態２）
３４          第１磁性板（実施形態２）
３５          第２磁性板（実施形態２）
３６          フラックスバリア（実施形態２）
３８          ブリッジ（実施形態２）
４１          磁性板対（実施形態２）
【図１】
2013046466.tif 000003
【図２】
2013046466.tif 000004
【図３】
2013046466.tif 000005
【図４】
2013046466.tif 000006
【図５】
2013046466.tif 000007
【図６】
2013046466.tif 000008
【図７】
2013046466.tif 000009
【図８】
2013046466.tif 000010
【図９】
2013046466.tif 000011
【図１０】
2013046466.tif 000012
【図１１】
2013046466.tif 000013